(57)【要約】【課題】  転写ベルト方式では、感光体の径が大きい高速機において、用紙が感光体ドラムから分離できず、感光体ドラムに張り付いてしまうドラムラップ現象のジャム障害が発生する。【解決手段】  本発明は、感光体に用紙を介して、転写ベルトを押し当て、該転写ベルトの裏面にトナーと逆極性の電荷を転写器により付与することによって、用紙を吸着搬送し、前記感光体上に形成したトナー像を転写搬送する画像形成用転写装置において、前記転写ベルトに該転写ベルトの回転方向上流側のみを固定した用紙押さえシートを設置したことを特徴とする。【選択図】図４
2005196049.tif 000002
【特許請求の範囲】
【請求項１】
感光体に用紙を介して、転写ベルトを押し当て、該転写ベルトの裏面にトナーと逆極性の電荷を転写器により付与することによって、用紙を吸着搬送し、前記感光体上に形成したトナー像を転写搬送する画像形成用転写装置において、前記転写ベルトに該転写ベルトの回転方向上流側のみを固定した用紙押さえシートを設置したことを特徴とする画像形成用転写装置。
【発明の詳細な説明】
【技術分野】
【０００１】
本発明は、電子写真法を用いる複写機、レーザプリンタ等の画像形成用転写装置に関するものである。
【背景技術】
【０００２】
電子写真法を用いるカット紙レーザプリンタや複写機の転写装置では、用紙の搬送と転写の目的を兼ねて、誘電体ベルトを用いる転写ベルト方式があり、転写ベルト表面に電荷を誘起させて、この電荷で用紙を吸着搬送し、感光体上に形成された画像を用紙に転写する。
【０００３】
転写ベルト方式をレーザプリンタに適用した従来例を、図１と図２により説明する。
【０００４】
感光体１は、帯電器２のコロナ放電によって表面を−極性に一様に帯電する。レーザプリンタで多用されている反転現像方式では、半導体レーザ等の光学系３によって、潜像が形成され、現像機４によって感光体１表面の電位と同極性である−極性トナー４１を感光体１上に付着させる。詳細は、省略するが、用紙走行機構によって搬送された用紙９は、搬送ローラ１２によって転写ユニット５に送られ、転写器５４で転写される。６はプレチャージ、７はイレーズ、８はクリーナ、５１は転写ベルト、５２駆動ローラ、５３は従動ローラを示す。
【０００５】
転写ベルト方式は、従来のコロトロン転写方式、及び近年多用されている転写ローラ方式と比較すると、用紙種類に関わらず、用紙９の先端から後端まで均一に転写することができる上、転写後の用紙を搬送する機能も兼ね備えているので、感光体１から分離し、定着まで搬送する機構部が不要になるという利点がある一方、用紙９を転写ベルト５１に吸着した状態で感光体１上のトナー画像を転写する。このため、感光体１の径が大きい高速機では、図２に示すように用紙９が感光体１から分離できず、感光体１に張り付いてしまうというドラムラップ現象が発生することがある。
【０００６】
このドラムラップ現象には、転写ベルト物性値や転写条件をはじめ、様々な要因が関与しているが、用紙９の状態によって発生することが多く、特に用紙９の切断状態が悪く、端部が変形しているものや吸湿によって変形しているもので発生しやすいことが知られている。
【０００７】
近年、各省庁、企業では、上質紙に代わり、地球環境に配慮したリサイクル用紙が用いられているが、リサイクル用紙は、古紙パルプを使用しているため、切断や吸湿によって変形しやすく、上質紙と比べるとドラムラップが発生しやすくなる傾向がある。
【０００８】
上記したドラムラップを防止するためには、用紙９の転写ベルト５１への吸着力を上げることが必要である。その方法として、弾性ブラシをベルト従動ローラ５３上に配置し、弾性ブラシに吸着バイアス電圧を印加する方式（例えば、特許文献１参照）、及び吸着ローラをベルト従動ローラ５３上に配置し、吸着ローラに吸着バイアス電圧を印加する方式（例えば、特許文献２参照）が提案されている。
【０００９】
【特許文献１】特開平０３−１９４５７６号公報
【００１０】
【特許文献２】特開平０９−２２２８０８号公報
【発明の開示】
【発明が解決しようとする課題】
【００１１】
しかしながら、ベルト従動ローラ上に圧接した位置に弾性ブラシや吸着ローラを配置する方式では、圧接するベルト従動ローラは円筒形状の剛性体であるために厚みの異なる各種用紙に対して抵抗力や搬送力が不均一となり、印刷位置不良（スキュー）や転写時の印刷ぶれ等の印刷品質不良が起こる場合がある。また、弾性ブラシや吸着ローラに吸着バイアス電圧を印加する場合は、部品コストが高くなるという欠点がある。
【００１２】
本発明は、用紙厚みの影響のない簡単な構成でドラムラップの発生を防防止して信頼性の高い、安定した画像形成装置を提供することを目的とする。
【課題を解決するための手段】
【００１３】
上記目的は、感光体に用紙を介して、転写ベルトを押し当て、該転写ベルトの裏面にトナーと逆極性の電荷を転写器により付与することによって、用紙を吸着搬送し、前記感光体上に形成したトナー像を転写搬送する画像形成用転写装置において、前記転写ベルトに該転写ベルトの回転方向上流側のみを固定した用紙押さえシートを設置することによって達成される。
【発明の効果】
【００１４】
本発明によれば、各種用紙に対しても用紙が感光体から分離できず感光体に張り付いてしまうというドラムラップ現象のジャムを防止する事が出来、信頼性の高い、安定した用紙搬送を達成する事ができる。
【発明を実施するための最良の形態】
【００１５】
以下本発明を、図３〜図６により説明する。同図において図１、２と同一部分は同一符号で示してある。
【００１６】
本発明は、図６に示すように、転写ベルト５１表面にａ部はベルト５１に対して自由に離れることが出来るように、そしてｂ部の一部はベルト５１に固定することによって、ベルト５１回転方向の上流側のみを転写ユニット５に固定した、用紙押さえシート１０を設置したことを特徴とする。
【００１７】
転写ユニット５に用紙９が送り込まれる図３に示す位置では、剛体である従動ローラ５３に沿ってベルト５１は、シート１０の剛性により、シート１０のベルト５１回転方向の下流側がベルト５１から離れる時に、前記した用紙９がベルト５１とシート１０との間に達し、ベルト５１回転に合せ用紙９の先端をシート１０の後端で押さえながら用紙が搬送される。
【００１８】
転写終了後の図４に示す位置では、転写器５４により感光体１上のトナー４１を用紙９に転写した後、感光体１と用紙９とが離れる時にも用紙先端を押さえたまま用紙９搬送を行なう事により、用紙９を感光体１から確実に分離し、図２に示す様な感光体１に用紙９が張り付くというドラムラップ現象が防止されて用紙が搬送される。
【００１９】
その後、駆動ローラ５２部の用紙が剥離する図５に示す位置では、剛体である駆動ローラ５２に沿ってベルト５１は、シート１０の剛性により、シート１０のベルト５１回転方向の下流側がベルト５１から離れると同時に用紙９もベルトから離れ、離れた用紙９は除電器５５によって除電された後、図示しない定着機で定着される。
【００２０】
一方、転写後の残留した感光体ドラム１上のトナー４１は、プレチャージ６、イレーズ７を経てクリーナ８で清掃される。
【図面の簡単な説明】
【００２１】
【図１】従来の正常用紙搬送を示したレーザプリンタの構成図である。
【図２】従来の異常用紙搬送を示したレーザプリンタの構成図である。
【図３】本発明をレーザプリンタに適用した一実施例を示す構成図であり、転写部への用紙突入時を示す。
【図４】本発明をレーザプリンタに適用した一実施例を示す構成図であり、感光体から用紙剥離時を示す。
【図５】本発明をレーザプリンタに適用した一実施例を示す構成図であり、転写部からの用紙剥離時を示す。
【図６】本発明をレーザプリンタに適用した一実施例を示す転写ベルトの拡大図である。
【符号の説明】
【００２２】
１は感光体、２は帯電器、３は光学系、４は現像機、５は転写ユニット、６はプレチャージ、７はイレーズ、８はクリーナ、９は用紙、１０はシート、１１は搬送アイドラローラ、１２は搬送ローラ、４１はトナー、５１はベルト、５２は駆動ローラ、５３は従動ローラ、５４は転写器、５５は除電器である。
【図１】
2005196049.tif 000003
【図２】
2005196049.tif 000004
【図３】
2005196049.tif 000005
【図４】
2005196049.tif 000006
【図５】
2005196049.tif 000007
【図６】
2005196049.tif 000008